(57)【要約】【課題】操作性及び耐久性を向上させたリクライニング機構を有するバスチェアを提供する。【解決手段】台座２０の後方の軸受部２５に回動自在に背もたれ７０が設けられる。背もたれ７０の後面には、操作軸８２が横架される。操作軸８２の中央にはレバー８４が設けられる。操作軸８２は、レバー８４を押し下げる方向に付勢されている。操作軸８２の両端部には、突き当て部材８３が固定されている。軸受部２５の後方には複数の段部８１が形成されている。突き当て部材８３の先端部と段部８１とは当接して、背もたれ７０は支持される。そして、レバー８４を操作軸８２が付勢される方向に抗して押し上げれば、突き当て部材８３も後方から上方にかけて上昇し、段部８１と突き当て部材８３の当接が解除され、背もたれ７０の傾斜角度を調節することができる。【選択図】  図９
2015136413.tif 000002
【特許請求の範囲】
【請求項１】
座面を有する台座と、
前記台座の後方両側面からそれぞれ隆起する軸受部に回動自在に支持される背もたれと、
前記背もたれの後面に回動自在に横架される操作軸と、
前記操作軸の軸上に形成されるレバーと、
前記操作軸の両端部にそれぞれ固定され、前記操作軸と直交する方向に延びる突き当て部を有する突き当て部材と、
前記レバーが下方に回動する方向に前記操作軸を付勢する弾性部材と、
前記台座の各前記軸受部の後側に、各前記突き当て部材の前記突き当て部と当接可能に形成される複数の段部と、
を有することを特徴とするバスチェア。
【請求項２】
各前記突き当て部材の前記突き当て部から前方に突出する係止突起と、
複数の各前記段部のうち、最上段における段部の前方の壁面に設けられ、各前記係止突起と係止可能に形成される係止孔と、
を有することを特徴とする請求項１記載のバスチェア。
【請求項３】
各前記突き当て部材の前記突き当て部の先端部には平坦部が形成され、
各前記段部は上段、中段、下段の三段として形成されるとともに、上段及び下段の段部は平坦面として形成され、中段は後方に向けて傾斜する傾斜面として形成されることを特徴とする請求項１又は請求項２記載のバスチェア。
【発明の詳細な説明】
【技術分野】
【０００１】
本発明は、乳幼児用のバスチェアに関し、さらに詳細には、乳幼児用バスチェアの背もたれのリクライニング機構に関する。
【背景技術】
【０００２】
浴室で乳幼児の世話をする際に利用されるバスチェアが従来から提供されている。これらのバスチェアは、前方中央に隆起部を有する座面と、リクライニング機構を有する背もたれと、座面前方の左右方向に設けられたハンドルとが設けられている。このリクライニング機構について、従来から種々の構成が提案されている。
【０００３】
例えば、特許文献１に開示されるバスチェアは、出没可能な係合軸を背もたれの下部両側にそれぞれ備えられる。そして台座には、係合軸と係合可能な軸穴が複数設けられている。一方、係合軸を出没させる操作部材は、左右の係合軸それぞれに対応して、背もたれ後面の上方に一対にして設けられる。操作部材と係合軸は、上下方向に渡り形成される係合部材により連結されている。この連結部材は、係合軸が突出する方向に付勢されている。リクライニングの操作をする際には、一対の操作部材を係合部材の付勢力に抗して摘むようにして操作して係合軸を没入させる。そして、一対の操作部材を摘んだまま（すなわち係合軸を没入させたまま）所望の軸穴に係合軸を合わせる。所望の軸穴と係合軸の中心が合致する位置で、操作部材から手を離すと、係合軸が突出し、軸穴と係合することにより背もたれが固定される。
【先行技術文献】
【特許文献】
【０００４】
【特許文献１】特許第５１４０８３９号公報
【発明の概要】
【発明が解決しようとする課題】
【０００５】
特許文献１により開示されるリクライニング機構では、操作部材と係合軸が上下方向に離れて設けられている。このため、係合軸を没入させるため一対の操作部材を摘むようにして操作すると、係合軸と操作部材を連結する連結部材は、操作部材下方と係合軸の軸線が交わる部分を中心とする回転力を受けることになる。すると、連結部材は左右方向に平行に移動すべきところ、この回転力により左右方向へ平行移動し難くなる。これにより、弾性体の圧縮が直接働かず、弾性体の弾発力に比べて強い力での操作が必要となり、片手での操作が容易に行い難くなる。
【課題を解決するための手段】
【０００６】
本発明に係るバスチェアは、座面を有する台座と、前記台座の後方両側面からそれぞれ隆起する軸受部に回動自在に支持される背もたれと、前記背もたれの後面に回動自在に横架される操作軸と、前記操作軸の軸上に形成されるレバーと、前記操作軸の両端部にそれぞれ固定され、前記操作軸と直交する方向に延びる突き当て部を有する突き当て部材と、前記レバーが下方に回動する方向に前記操作軸を付勢する弾性部材と、前記台座の各前記軸受部の後側に、各前記突き当て部材の前記突き当て部と当接可能に形成される複数の段部と、を有するものである。
【０００７】
また、本発明に係るバスチェアは、さらに、各前記突き当て部材の前記突き当て部から前方に突出する係止突起と、複数の各前記段部のうち、最上段における段部の前方の壁面に設けられ、各前記係止突起と係止可能に形成される係止孔と、を有するようにした。
【０００８】
また、各前記突き当て部材の前記突き当て部の先端部には平坦部が形成され、各前記段部は上段、中段、下段の三段として形成されるとともに、上段及び下段の段部は平坦面として形成され、中段は後方に向けて傾斜する傾斜面として形成されるようにした。
【発明の効果】
【０００９】
本発明に係るバスチェアは、操作軸の両端に突き当て部材を固定し、この突き当て部材と、軸受部後側に形成された段部とが当接することで背もたれが支持されるようにした。この段部は複数設けられ、各段部に対応して背もたれの傾斜角度を調節することができる。そして、操作軸にはレバーが形成されており、このレバーが下方に回動する方向に付勢されている。よって、背もたれのリクライニング操作は、レバーを操作軸の付勢力に抗して上方に上げて操作軸を回動させ、突き当て部材と段部との当接を解除して行うことができる。よって、レバーによる一方向の操作により容易にリクライニング操作をすることができる。さらに、レバーを上方に上げる力の方向と操作軸の回転方向が一致しているので、リクライニング操作をする際の操作軸はスムーズに回動する。さらに、本発明の構成によれば、背もたれを起き上がらせる方向のみにおいては、レバーを操作することなく、背もたれをそのまま手で起き上がらせるのみで起き上がらせることができる。
【００１０】
また、突き当て部材に係止突起を設け、最上段の段部前方の壁面に係止突起と係止する係止孔を形成した。これにより、背もたれを起き上がらせてリクライニング操作を行った場合において、最上段に突き上げ部材が到達した際には、突き当て部材の係止突起と段部前方の壁面に形成された係止突起が係止するので、背もたれの前方への回動が規制されることとなる。よって、意図せず背もたれが前方へ倒れ込むことが防止される。
【００１１】
また、突き当て部材の先端を平坦部として形成し、段部は上段、中段、下段の三段に形成され、上段及び下段は平坦面として形成し、中段は後方に傾斜する傾斜面として形成した。これにより、突き当て部材と段部の当接を面同士の当接とすることができるので、突き当て部材による背もたれの支持を、より安定させることができる。さらに、幼児を座らせたり寝させたりする等、上体の姿勢に変化を持たせ易くすることができる。
【図面の簡単な説明】
【００１２】
【図１】本発明に係るバスチェアの前方斜視図である。
【図２】本発明に係るバスチェアの後方斜視図である。
【図３】本発明に係るバスチェアのハンドルを開いた状態を示す前方斜視図である。
【図４】本発明に係るバスチェアのリクライニングの様子を示す側面図で、（ａ）が上段、（ｂ）が中段、（ｃ）が下段に設定された状態を示す。
【図５】本発明に係るバスチェアの収納時の状態を示す側面図である。
【図６】本発明に係るバスチェアを縦置きで収納した状態を示す側面図である。
【図７】本発明に係るバスチェアの図５におけるＶＩＩ−ＶＩＩ断面の要部を示す断面図である。
【図８】本発明に係るバスチェアの後面図で、カバーを外した状態を示している。
【図９】本発明に係るバスチェアの図８におけるＩＸ−ＩＸ断面の要部を示す断面図である。
【発明を実施するための形態】
【００１３】
本発明の実施形態を図１〜図９に基づいて説明する。
図１は本発明に係るバスチェア用ハンドルを備えたバスチェア１０の左側前方斜視図である。なお、以下の説明においては、バスチェア１０のハンドル４０側を前、背もたれ７０側を後とする。また、バスチェア１０に座った状態における左手側を左、右手側を右とし、バスチェア１０の台座２０における座面２１側を上、反対側を下とする。
【００１４】
バスチェア１０は、座面２１が上面に形成される台座２０と、台座２０と回動自在に連結される背もたれ７０と、台座２０の前方に、左右方向に渡って設けられるハンドル４０と、が設けられている。座面２１の略中央部分には、複数の穴２７が設けられている。この複数の穴２７により、入浴時の座面２１上の水溜りを防止することができる。そして、座面２１の前方中央部には、山形状に隆起する隆起部２３が形成されている。座面２１の前方左右の両端部には、上面視において前後方向に長くして隆起する支持部２４が形成されている。
【００１５】
一方、座面２１の前方上方には、支持部２４を渡すようにしてハンドル４０が設けられている。ハンドル４０におけるハンドル本体部４１は、左右横長であって、前方側が凸となる緩やかな凸湾曲状に形成されている。ハンドル本体部４１の左右両側には、ハンドル本体部４１と連続して後方に向けて突出する後方突出部４２が形成されている。よって、座面２１に座った乳幼児は、ハンドル本体部４１及び後方突出部４２により、前方及び左右側方を囲われる。
【００１６】
ハンドル本体部４１の上面４３には、着座時に乳幼児が遊べるように、玩具４３ａ、４３ｂ、４３ｃが設けられている。玩具４３ａは多数のリングが支持棒により支持されるおはじき状の玩具である。玩具４３ｂは、上下方向に回転軸を有する回転台座が形成され、この回転台座上に人形等を固設することにより、回転軸回りに人形等を回転させることができる。玩具４３ｃは、略左右方向に回転軸を有する円筒状のドラムが形成され、ドラム上にキャラクター等の絵を設けて、ドラムを手で回転させて遊ぶことができる。
【００１７】
ハンドル４０の下面４４の中央部には、下方に向けて山形状に隆起する隆起部４５が形成されている。隆起部４５は、座面２１に形成された隆起部２３と対向して形成されている。乳幼児は、隆起部２３及び隆起部４５を跨ぐようにして座るので、隆起部２３及び隆起部４５により前方へのずれ落ちが防止される。
【００１８】
また、ハンドル４０は、ハンドル４０の下面に形成されたハンドル解除・支持機構５０により台座２０に着脱自在に取り付けられるとともに、左右方向に向けて回動自在に支持されている。二箇所の支持部２４と対向するハンドル本体部４１のそれぞれの下面には、ハンドル本体部４１の下面から下方に突出して軸受部４６が形成されている。軸受部４６は前方及び後方部分が下方に延設された二股状に形成される。そして、軸受部４６の二股状の中央凹部に、接続部材５１の中央上部部分が挿入されて接続部材５１は軸受部４６に対して回動自在に連結されている。接続部材５１の下部分は、支持部２４に着脱自在に取り付けられている。接続部材５１の外側側面には、解除押しボタン５２が突出して形成されている。接続部材５１を支持部２４から取り外す際には、この解除押しボタン５２を押し込むように操作する。
【００１９】
台座２０の後方には、背もたれ７０が設けられている。背もたれ７０は中央部から左右方向に渡って緩やかな凹湾曲状に形成され、乳幼児の背中を安定してもたれ掛ることができるようになっている。背もたれ７０の左右の下端は、二箇所に前後方向に開口部が形成される二股状の軸部７１が形成されている。一方、台座２０の後方には、側面視略円形にされて台座２０から突出する軸受部２５が形成されている。そして、二股状の軸部７１の二股状の間に、軸受部２５が挟み込まれている。軸部７１と軸受部２５の内部で軸部７１が軸受部２５に回動自在に支持されている。
【００２０】
図２は、バスチェア１０の右側後方斜視図である。背もたれ７０の背面にリクライニング機構８０が形成されている。背もたれ７０は、リクライニング機構８０により、三段階に傾斜角度を調節することができる。
【００２１】
台座２０の軸受部２５の後側には、階段状に段部８１が三箇所に形成されている。この段部８１は、リクライニング機構８０における背もたれ７０の三段階の角度調節に対応している。一番上の段部である上段８１ａは、背もたれ７０が最も起き上がっている状態に対応している。順次下方に向かうに従って、中段８１ｂ、下段８１ｃの段部が形成されている。
【００２２】
背もたれ７０の後面の上下方向中央からやや下方には、左右に渡って操作軸８２が回動自在に横架されている。操作軸８２の両端には、突き当て部材８３が操作軸８２に固定して設けられている。よって、操作軸８２と突き当て部材８３は一体的に回動する。突き当て部材８３には、操作軸８２の軸心と直交する方向に延在する突き当て部８３ａが形成されている。突き当て部８３ａの先端部分には平坦部８３ｂが形成されている。この平坦部８３ｂと段部８１とが当接することにより、背もたれ７０は支持されている。
【００２３】
一方、操作軸８２の中央部分にはレバー８４が設けられている。操作軸８２のレバー８４及び両端に設けられる突き当て部材８３付近以外の部分は、カバー８５により覆われている。操作軸８２は、カバー８５内に設けられる弾性部材により、レバー８４が押し下げられる方向（換言すれば、右側面視反時計回り）に付勢されている。さらに、操作軸８２は、カバー８５と背もたれ７０の背面とで形成される図示しない軸受部によって回動自在に支持されている。よって、レバー８４を操作軸８２の付勢力に抗して引き上げることにより、突き当て部材８３が後方に向けて回動し、突き当て部材８３と段部８１の当接が解除され、背もたれ７０のリクライニング調節を行うことができる。
【００２４】
また、背もたれ７０の後面上端部には、上端カバー７２が設けられている。上端カバー７２の表面には、二か所にフック７６が設けられている。フック７６は板状の部材を折り曲げるようにして形成され、板状の部材の自由端側同士が閉じられる方向に付勢するよう形成されている。そして、フック７６は、自由端側を上方に向けて設けられている。このフック７６の使用方法は、二か所のフック７６の自由端側から図示しないタオルの一端を挟み込み、他端を背もたれ７０の上端から座面２１の前端近傍に渡すようにしてタオルを載置する。すると、背もたれ７０と座面２１がタオルで覆われるので、入浴時に裸でバスチェア１０に座る乳幼児は、背もたれ７０や座面２１からの冷たい感触を感じることがないとともに、このタオルにより前方へのずれが防止される。なお、フック７６の後方側の自由端は、タオルが挿入しやすいように開口方向に傾斜している。さらにまた、台座２０の後部中央には左右方向の長孔が貫通され、取手２６として形成されている。
【００２５】
次に、図３に基づいて、バスチェア１０におけるハンドル４０の開閉操作について説明する。図３はハンドル４０が開いた状態を示す左側前方斜視図である。このようにハンドル４０を開くには、二か所あるうちの一方（本実施形態においては左側）の解除押しボタン５２を押し込むようにする。すると、接続部材５１は、支持部２４から取り外せる状態となる。その後、ハンドル４０を上方に持ち上げれば、回動自在に支持される他方の軸受部４６によりハンドル４０を開くことができ、座面２１の上方の空間を空けることができる。このハンドル４０の開閉操作は左右の接続部材５１のどちら側からでも行うことができ、ハンドルを台座の右方向に開くことも左方向に開くこともできる。また、左右二箇所の解除押しボタン５２を同時に押し込むようにすれば、ハンドル４０を台座２０から取り外すことができる。
【００２６】
次に、図４に基づいて、バスチェア１０における背もたれ７０のリクライニング操作について説明する。リクライニング操作は、背もたれ７０の後面に設けられるレバー８４を引き上げて突き当て部材８３を回動させて、突き当て部材８３が当接する段部８１を何れの段部８１とするかを操作する。図４（ａ）は、突き当て部材８３が上段８１ａに当接している場合であって、背もたれ７０が最も起き上がっている状態を示す。設置面からの傾斜角度は６５度乃至７５度とする。図４（ｂ）は、突き当て部材８３と中段８１ｂが当接している状態を示す。設置面からの傾斜角度は４０度乃至５０度とする。図４（ｃ）は、突き当て部材８３と下段８１ｃが当接している状態を示す。設置面からの傾斜角度は１０度乃至１５度とする。このようにして、バスチェア１０は、背もたれ７０の傾斜角度を三段階に調節することができる。
【００２７】
次に、図５に基づいて、バスチェア１０の収納状態について説明する。バスチェア１０を収納する場合は、背もたれ７０の後面に設けられるレバー８４を引き上げたまま背もたれ７０を前方に倒すことができる。図５に示すように、背もたれ７０とハンドル４０が軽く当接するまで背もたれ７０を倒せば、収納しやすいようバスチェア１０をコンパクトにすることができる。
【００２８】
または、図６に示す通り、バスチェア１０は縦置きでも収納することができる。すなわち、バスチェア１０は、左右二箇所の解除押しボタン５２を同時に押し込むようにしてハンドル４０を台座２０から取り外せば、背もたれ７０の前面上端部分が隆起部２３と軽く当接するまで背もたれ７０を前方に倒すことができる。さらに背もたれ７０と隆起部２３とが軽く当接している状態でハンドル４０を再度台座２０に取り付ければ、背もたれ７０がハンドル４０により後方への回動が規制された状態のまま収納することができる。これにより、不意に背もたれ７０が回動することが防止できる。そして、ハンドル４０、背もたれ７０及び台座２０の前端部分を下にして、取手２６が上側になるようにバスチェア１０を置くことができる。このようにすれば、狭い風呂場でもコンパクトに収納することができる。また、取手２６を把持しやすくなり、バスチェア１０の持ち運びが容易となる。
【００２９】
次に、図７により、背もたれ７０が台座２０の軸受部２５に回動自在に支持されている構造を説明する。図７は図５におけるＶＩＩ−ＶＩＩ断面図における要部である。背もたれ７０の下方に設けられる軸部７１は、外側軸部７１ａと内側軸部７１ｂとして二股状に形成される。外側軸部７１ａと内側軸部７１ｂの間には、台座２０の軸受部２５が挿入されている。軸受部２５の外側面には、外方向に向けて支持ピン２５ａが立設している。支持ピン２５ａの周りには、外方向に向けて円環状に突出する軸受リング２５ｂが形成されている。軸受リング２５ｂは、その外周面に円環状に段部２５ｂ１が形成されている。そして、軸受リング２５ｂの外周面であって、この段部２５ｂ１から外方向に直立する壁面は、環状の摺動面として摺動環部２５ｂ２が形成されている。さらに、軸受リング２５ｂには、軸方向に切り欠いた切欠部２５ｂ３が上下に対向する二箇所に形成されている。なお、図７は、上側の切欠部２５ｂ３のみを表している。
【００３０】
外側軸部７１ａには、外方向に向けて立設した円筒状部７１ａ１が形成されている。この円筒状部７１ａ１の内壁面は、摺動環部２５ｂ２と摺動する。また、円筒状部７１ａ１の内方向の側面は、段部２５ｂ１と当接可能に形成されている。これにより、軸部７１の内側方向への移動が規制されている。一方、円筒状部７１ａ１の外側には、円盤状に形成されるストッパー７３が設けられている。ストッパー７３の内側面には、内方向に向けて円環状に突出する第一環状突起７３ａと、この第一環状突起７３ａよりも径を大きくして内方向に向けて円環状に突出する第二環状突起７３ｂが同心にして形成されている。ストッパー７３における外周縁部の内方向の側面には、切欠部２５ｂ３と嵌合する突起７３ｃが上下に形成されている。切欠部２５ｂ３と突起７３ｃの嵌合により、ストッパー７３は軸受リング２５ｂの軸心回りの回転が規制されている。なお、図７は、上側の突起７３ｃのみを表している。
【００３１】
第一環状突起７３ａの内壁面と支持ピン２５ａの外周面は嵌合している。第二環状突起７３ｂの外周面と軸受リング２５ｂの内壁面も嵌合している。そして、ストッパー７３の周縁内側面は、円筒状部７１ａ１の突端面と当接可能に形成されている。このようにして、ストッパー７３により、軸部７１は外方向の移動が規制されている。また、摺動環部２５ｂ２は、円筒状部７１ａ１を介して、背もたれ７０の自重を受けている。そこで、第二環状突起７３ｂの外周面で摺動環部２５ｂ２の内壁面を支持するとともに、第一環状突起７３ａと支持ピン２５ａが嵌合することにより、軸受リング２５ｂを補強している。なお、ストッパー７３の外側からは、軸部カバー７４が取り付けられている。
【００３２】
次に、図８及び図９に基づいて、リクライニング機構８０について詳細に説明する。なお、図８はカバー８５を外した後面図であり、図９は、背もたれ７０及び軸部７１、カバー８５の一部を省略した断面図である。
前述の通り、操作軸８２は、背もたれ７０の後面に回動自在に横架して設けられている。詳細には、背もたれ７０の後面とカバー８５により形成される軸受部により、操作軸８２の両端近傍が回動支持されている。なお、操作軸８２には、操作軸８２の横ずれ防止のため環状リブ８７が形成されている。
【００３３】
一方、台座２０の軸受部２５の後側に形成される段部８１は、上段８１ａ及び下段８１ｃを平坦に形成している。そして、中段８１ｂは、後方に向けて傾斜する傾斜面として形成されている。上段８１ａの前方側の壁面８１ａ１には、後方から見ると横長長方形となる係止孔８１ａ２が開けられている。
【００３４】
突き当て部材８３は、基部８３ｃに角孔８３ｃ１が形成される。一方、操作軸８２の両端部には、外方向に突出する角柱突起８２ａが各々形成されている。そして、この角孔８３ｃ１に角柱突起８２ａが圧入されて、突き当て部材８３が操作軸８２に固定されている。また、突き当て部材８３は、基部８３ｃから操作軸８２の軸心と直交する方向に延在する突き当て部８３ａが形成されている。突き当て部８３ａの先端部分には、平坦部８３ｂが形成されている。そして、突き当て部８３ａの先端部から前方に向けて、係止突起８３ｄが形成されている。係止突起８３ｄは、係止孔８１ａ２に挿入されて係止されるように形成されている。
【００３５】
操作軸８２の左右の外表面上には、レバー８４と反対方向に突出する弾性部材係止突起８２ｂが二箇所に設けられている。弾性部材係止突起８２ｂは、下方に向けて直角に折れ曲がる係止部を有している。一方、背もたれ７０の背面には、後方に向けて立設する弾性部材係止ピン７５が設けられている。そして、弾性部材係止突起８２ｂと弾性部材係止ピン７５間には、弾性部材であるコイルばね８６が設けられている。コイルばね８６は、一端を弾性部材係止突起８２ｂに係止され、他端を弾性部材係止ピン７５に係止している。よって、このコイルばね８６により、操作軸８２は、レバー８４を押し下げる方向（換言すれば、図９において時計回り）に付勢されている。よって、突き当て部材８３も図９において時計回りに付勢されることとなる。
【００３６】
このように構成されるリクライニング機構８０の操作は、レバー８４をコイルばね８６の付勢力に抗して上方に引き上げることにより、突き当て部材８３の平坦部８３ｂと段部８１との当接が解除され、背もたれ７０の傾斜角度を調節することができる。そして、レバー８４から手を離せば、任意の段部８１に突き当て部材８３の平坦部８３ｂが当接し、背もたれ７０は固定される。また、背もたれ７０を起き上がらせる方向に調節する場合には、背もたれ７０を手で起き上がらせれば、突き当て部材８３の係止突起８３ｄの前方端部が、段部８１のそれぞれの前方の壁面と摺接して、次の段部８１に平坦部８３ｂを移動させ、段部８１と平坦部８３ｂを当接させることができる。
【００３７】
そして、上段８１ａにおいては、前方の壁面８１ａ１に、係止突起８３ｄと係止する係止孔８１ａ２が設けられている。この係止突起８３ｄと係止孔８１ａ２が係止することにより、背もたれ７０の前方への倒れ込みが規制されている。図５及び図６に示す収納状態とするには、レバー８４を上方に引き上げて、係止突起８３ｄと係止孔８１ａ２の係止を解除すれば、背もたれ７０をハンドル４０または隆起部４５と当接するまで倒し込むことができる。このとき、係止突起８３ｄの前端部は、軸受部２５の上方の曲面上に当接されている。
【００３８】
以上のように本発明に係るリクライニング機構８０を構成することにより、一つのレバー８４で背もたれ７０の傾斜角度を調節できるので、リクライニングの操作が容易である。さらに、背もたれ７０を起き上がらせる方向に角度を調節する場合には、レバー８４の操作が不要なので、さらに容易にリクライニング操作をすることができる。背もたれ７０の前方への倒れ込みは、係止孔８１ａ２と係止突起８３ｄの係止により規制されているので、不意に背もたれ７０を倒し込むことはない。
【００３９】
また、レバー８４を引き上げる際にレバー８４から操作軸８２に加えられる力の方向は、操作軸８２の縦断面接線方向となる。よって、操作軸８２が受ける力の方向と回転方向が一致するので、操作軸８２をスムーズに回動させることができる。また、操作軸８２に無理な力が掛からないので、各部材の耐久性が向上し、長期間安定してリクライニング機構８０を使用することができる。
【００４０】
また、段部８１は、上段８１ａ及び下段８１ｃは平坦に形成され、中段８１ｂは後方に傾斜するようにして形成されている。そして、突き当て部材８３は、コイルばね８６により操作軸８２を介して前方に向けて回動するように付勢されている。よって、レバー８４から手を離した状態では、突き当て部材８３の係止突起８３ｄの先端は、上段８１ａにおいては常に係止孔８１ａ２と係止し、中段８１ｂ及び下段８１ｃにおいては常に前方の壁面と当接している。ゆえに、平坦部８３ｂは、常に何れかの段部８１と当接していることになる。
【００４１】
そして、図９に示したように係止突起８３ｄを上段８１ａに乗せたときは、突き当て部材８３の平坦部８３ｂは下方に向いている。また、背もたれ７０を倒して係止突起８３ｄを中段に乗せるとき操作軸８２は中段８１ｂの位置よりも僅かに後方に位置し、下段８１ｃに乗せるとき操作軸８２は軸部７１よりも低い位置となり、操作軸８２が下段８１ｃの上方に位置する。従って、段部８１は、上段８１ａ及び下段８１ｃは略水平な平坦に形成され、中段８１ｂは後方に傾斜するようにして形成されているので、平坦部８３ｂは常に平坦部８３ｂの全面がそれぞれの段部８１の面に当接されることとなる。よって、平坦部８３ｂの面圧を下げることができ、突き当て部材８３の破損等を低減することができる。
【００４２】
以上、本発明の実施形態を説明したが、本発明はこれに限定されるものではなく、本発明の範囲内において適宜変更を加えることが可能である。例えば、操作軸８２はコイルばね８６により付勢しているが、操作軸８２に巻回して設けられるねじりコイルばねにより付勢するようにしてもよい。また、段部８１は、本実施形態においては三段としたが、二段または四段以上として形成することもできる。
【符号の説明】
【００４３】
１０  バスチェア
２０  台座
２１  座面                            ２３  隆起部
２４  支持部                          ２５  軸受部
２５ａ  支持ピン                      ２５ｂ  軸受リング
２５ｂ１  段部                        ２５ｂ２  摺動環部
２５ｂ３  切欠部                      ２６  取手
２７  穴
４０  ハンドル
４１  ハンドル本体部                  ４２  後方突出部
４３  上面                            ４３ａ  玩具
４３ｂ  玩具                          ４３ｃ  玩具
４４  下面                            ４５  隆起部
４６  軸受部
５０  ハンドル解除・支持機構
５１  接続部材                        ５２  解除押しボタン
７０  背もたれ                        ７１  軸部
７１ａ  外側軸部                      ７１ａ１  円筒状部
７１ｂ  内側軸部                      ７２  上端カバー
７３  ストッパー                      ７３ａ  第一環状突起
７３ｂ  第二環状突起                  ７３ｃ  突起
７４  軸部カバー                      ７５  弾性部材係止ピン
７６  フック
８０  リクライニング機構
８１  段部                            ８１ａ  上段
８１ａ１  壁面                        ８１ａ２  係止孔
８１ｂ  中段                          ８１ｃ  下段
８２  操作軸                          ８２ａ  角柱突起
８２ｂ  弾性部材係止突起              ８３  突き当て部材
８３ａ  突き当て部                    ８３ｂ  平坦部
８３ｃ  基部                          ８３ｃ１  角孔
８３ｄ  係止突起                      ８４  レバー
８５  カバー                          ８６  コイルばね
８７  環状リブ
【図１】
2015136413.tif 000003
【図２】
2015136413.tif 000004
【図３】
2015136413.tif 000005
【図４】
2015136413.tif 000006
【図５】
2015136413.tif 000007
【図６】
2015136413.tif 000008
【図７】
2015136413.tif 000009
【図８】
2015136413.tif 000010
【図９】
2015136413.tif 000011